【事件の表示】
　特願２００６−　５０３０５「放射線撮像システム」拒絶査定不服審判事件〔平成１８年　８月　３日出願公開、特開２００６−１９８４１６〕について、次のとおり審決する。
【結　論】
　本件審判の請求は、成り立たない。
【理　由】
第１　手続の経緯 
　本願は、平成９年２月１７日（優先権主張　平成８年２月２６日）にされた特許出願（平成９年特許願第３２３６５号）の一部を、特許法第４４条第１項の規定により平成１４年１２月２５日に新たな特許出願（２００２年特許願３７４５８５号）として出願され、さらに、平成１４年１２月２５日に出願された特許出願（２００２年特許願３７４５８５号）の一部を、特許法第４４条第１項の規定により平成１８年２月２７日に新たな特許出願（２００６年特許願５０３０５号）として出願されたものであって、拒絶査定が平成２０年４月９日付けでなされた（発送日：同月１５日）ところ、拒絶査定不服審判が同年５月１５日に請求されるとともに、同年６月１６日付けで手続補正がなされたものである。
　　
第２　平成２０年６月１６日付けの手続補正についての補正却下の決定
　１　補正却下の決定の結論
　平成２０年６月１６日付けの手続補正を却下する。
　　
　２　補正却下の決定の理由
　（１）平成２０年６月１６日付けの手続補正書による手続補正（以下、「本件補正」という。）の内容
　本件補正は、本件出願の明細書の特許請求の範囲の請求項１を以下のとおり補正することを含むものである。
　　　　
　ア　本件補正前の特許請求の範囲の請求項１（平成１９年９月２１日付け手続補正書によるもの）
【請求項１】「放射線源と、
　光電変換素子とスイッチ素子とを有して二次元に複数配列された画素を含む撮像手段と、
　前記放射線源と前記撮像手段に関する撮影条件を制御するコントローラと、
　撮影時の撮影出力を記憶する撮影出力記憶手段と、
　前記撮影時の前記撮影条件に基づく前記コントローラの設定値を記憶する条件記憶手段と、
　前記条件記憶手段に記憶された設定値を基に前記コントローラが前記放射線源及び前記撮像手段を制御して得られた補正出力を用いて、前記撮影出力記憶手段に記憶された撮影出力を補正する演算処理回路と、を有する放射線撮像システム。」
　　　　　　　　　　　
　イ　本件補正後の特許請求の範囲の請求項１
【請求項１】「放射線源と、
　光電変換素子とスイッチ素子とを有して二次元に複数配列された画素を含む撮像手段と、
　前記放射線源
の露光時間
の駆動スピードとを含む
　撮影時の撮影出力を記憶する撮影出力記憶手段と、
　前記撮影時の前記撮影条件に基づく前記コントローラの設定値を記憶する条件記憶手段と、
　
前記撮影出力記憶手段に前記撮影出力が記憶された後に
動作させずに前記露光時間に相当する時間待ってから
を前記撮影時と同じ駆動スピードで動作させて
（なお、下線部は補正箇所を示す。）　
　　　　　　　
　（２）　本件補正の適否について
　本件補正は、本件補正前の請求項１に係る発明について、「前記放射線源と前記撮像手段に関する撮影条件を制御するコントローラ」の撮影条件の構成要件として、「の露光時間」という構成、及び「の駆動スピードとを含む」という構成を付加することにより、撮影条件を減縮して特定し、さらに、「前記条件記憶手段に記憶された設定値を基に前記コントローラが前記放射線源及び前記撮像手段を制御して得られた補正出力」の構成要件に「前記撮影出力記憶手段に前記撮影出力が記憶された後に、」という構成、「動作させずに前記露光時間に相当する時間待ってから」という構成、及び、「を前記撮影時と同じ駆動スピードで動作させて」という構成を付加することにより、補正出力を減縮して特定するものである。
　そうすると、本件補正は減縮する補正を含む補正であり、平成１８年法律第５５号改正附則第３条第１項によりなお従前の例とされる同法による改正前（以下、単に「平成１８年改正前」という。）の特許法第１７条の２第４項第２号に規定する特許請求の範囲の減縮を目的とするものに該当する。
　 　
　（３）　独立特許要件について
　そこで、本件補正後の特許請求の範囲の請求項１に係る発明（以下、「本願補正発明」という）が、特許出願の際独立して特許を受けることができるものであるか（平成１８年改正前の特許法第１７条の２第５項において準用する同法第１２６条第５項の規定に適合するか）について以下に検討する。
　
　（ア）引用刊行物記載の発明
（３Ａ）原査定の拒絶の理由に引用され、本件出願の優先権主張の日前に頒布された特開平７−２３６０９３号公報（以下、「引用刊行物Ａ」という。）には、図面とともに次の事項が記載されている。（下線は当審で付与したものである。以下、同様である）
　　
（３Ａ−１）「【０００１】
【産業上の利用分野】この発明は、Ｘ線診断装置などに使われる撮像装置に係り、とくに光学像を撮像する撮像素子としてＣＣＤ（Charge Coupled Device ）などの固体撮像素子を用いた撮像装置に関する。」
　　
（３Ａ−２）「【０００２】
【従来の技術】従来、この種の撮像装置を搭載した機器として、例えば医用のＸ線透視装置がある。このＸ線透視装置では、被検体を透過してきたＸ線がイメージ・インテンシファイヤ（Ｉ．Ｉ．）で光信号に変換され、この光信号が撮像装置に入射される。撮像装置では、そのＴＶカメラの固体撮像素子により、光信号が電気信号に変換される。そして、この撮像装置から出力された電気信号に基づきモニタに透視像が表示されるようになっている。
【０００３】固体撮像素子では、受光部に配置される受光素子の内、被写体像を実際に光電変換させる有効画素領域と、光学的黒（オプチカルブラック）と称する、遮光された画素領域とを有している。この光学的黒の画素領域からは暗電流が出力される一方で、有効画素領域からの暗電流はそのままオフセット分として有効画素領域の各画素の出力電流に重畳されるので、このオフセットを補正する必要がある。
【０００４】このオフセット補正には種々の手法がある。その一つとして、暗時画像から暗時出力が一定レベル以上である欠陥（傷）画素の位置を予め検出し、その欠陥画素の画素値を隣接画素の画素値で置換する手法がある。また、別の手法として、例えば、特開平２−１６４１８４号公報記載の如く、光学像を固体撮像素子に入射させないタイミングで暗時出力をメモリに記憶させ、この記憶値を光学像入射時の固体撮像素子の出力から差し引き、これにより画素毎のオフセット補正をデジタル処理で行う手法も知られている。
　・・・
【０００９】一方、上述したように、画素毎の補正量が画素値に依存しない、つまり図２２における画素値依存域Ｒp が無いフラットな特性の固体撮像素子を使用する場合でも、撮像モードに応じて撮像時間が変わるため、必要な補正量も変わる。しかし、上述のように暗時出力である一定値の補正量を差し引くだけでは、正確に補正できない。すなわち、撮像モードに応じて撮像素子の光蓄積時間が変わり、画素毎の補正量はその光蓄積時間に依存するが、暗時出力の蓄積時間は撮像時の蓄積時間と必ずしも一致しないため、正確な補正量を得ることができないからである。」
　　　　　　　
（３Ａ−３）「【００２５】図１に示す
Ｘ線診断装置は
Ｘ線を被検体Ｐに向けて曝射するＸ線管１０
被検体を透過してきたＸ線を受けるイメージ・インテンシファイヤ
１１とを備えるとともに、Ｉ．Ｉ．１１の出力側に設けた
ＴＶカメラ１３を備えている
ＴＶカメラ１３は
ＣＣＤから成る受光素子を、各画素に対応して２次元に配列した固体撮像素子１３ａを備えている
【００２６】
Ｘ線管１０は高電圧発生器１４を介してＸ線制御器１５に接続されており、Ｘ線制御器１５から出力されるＸ線曝射信号Ｓ１に応答してＸ線を曝射可能になっている
固体撮像素子１３ａは駆動回路１６から送られてくる駆動信号Ｓｄ及び画素アドレス信号Ｓａを受けて上述の光−電気変換を行う
【００２７】ＴＶカメラ１３の出力側はさらに、増幅器１７及びＡ／Ｄ変換器１８を介して２入力の加算器１９の一方の入力端に接続されている。これにより、ＴＶカメラ１３から出力された画像信号は増幅後、Ａ／Ｄ変換されてデジタル量の画像データＤｉとなって加算器１９に入力する。
【００２８】一方、加算器１９のもう一方の入力端はオフセット・メモリ２０の出力側に接され、このオフセット・メモリ２０の入力側には前述した駆動回路１６からの画素アドレス信号Ｓａが入力するようになっている。オフセット・メモリ２０には、固体撮像素子１３ａの画素毎に決まる補正量としてのオフセット・データＤoff （画素毎に正又は負の値）を事前に記憶させてある。このオフセット・データＤoff は、暗時出力を補正するためのもので、予め装置の出荷時など、装置の使用時よりも前に収集され、記憶されている。なお、オフセット・データの収集時において、固体撮像素子１３ａの「補正量−画素値」特性に、図２２に示すような補正量（＝変分）が画素値に依存する画素値依存域Ｒp が在る場合、この画素値依存域Ｒp を避ける画素値の光学像を固体撮像素子１３ａに入射させて収集を行う。
【００２９】オフセット・メモリ２０は画素アドレス信号Ｓａにより指定されたアドレスのオフセット・データＤoff を、固体撮像素子１３ａからの画像データＤｉの到来に同期させて、加算器１９に出力するようになっている。
【００３０】これにより、加算器１９は２つの入力データを加算し、加算データを後段のＤ／Ａ変換器２１を介してＴＶモニタであるＣＲＴ（陰極線管）２２に送るようになっている。この結果、ＣＲＴにてＸ線透視像がリアルタイムに表示される。
【００３１】さらに、
このＸ線診断装置にはＸ線制御器１５や駆動回路１６を通じて装置全体を管理するコントローラ２３
【００３２】このように本実施例では、Ｘ線管１０からＸ線を曝射させてＸ線透視像を得る一方で、画素値依存域Ｒp を持たない固体撮像素子１３ａには暗時出力を、また画素値依存域Ｒp を持つ固体撮像素子１３ａにはオフセット出力値を予め画素毎に測定しておき、この測定値をオフセット・データＤoff とする。そして、
固体撮像素子１３ａから出力された画像データＤｉ
　　
（３Ａ−４）「【００３３】（第２実施例）第２実施例を図２及び図３に基づいて説明する。なお、上記実施例と同一又は同等の構成要素には同一符号を付して説明を簡略化又は省略する（第３実施例以降についても同様とする）。
【００３４】この第２実施例は、撮像時間（光学像を固体撮像素子に入射し続ける時間）をも考慮したものである。
【００３５】第２実施例に係るＸ線診断装置は図２に示すように、第１実施例における図１のオフセット・メモリに代えて、オフセット・データ生成回路３０を設けるとともに、このオフセット・データ生成回路３０に駆動回路１６から画素アドレス信号Ｓａを、またコントローラ２３から撮像時間情報Ｓtimeを供給させる。このため、
コントローラ２３は入力器２４を介して指定される撮像モード
長時間露光モード／短時間露光モード
に応じて、予め記憶していている撮像時間データを参照し、撮像時間情報Ｓtimeを供給する
【００３６】オフセット・データ生成回路３０は具体的には図３に示すように、撮像時間情報Ｓtimeを受ける係数メモリ３１と、この係数メモリ３１のメモリ読出し側に、一方の入力端を接続させた２入力の乗算器３２と、画素アドレス信号Ｓａを受けるオフセット・メモリ３３とを備え、そのオフセット・メモリ３３の読出し側を乗算器３２の他方の入力端に接続している。乗算器３２の出力端は前記第１実施例と同様に加算器１９の一方の入力端に接続されている。
【００３７】オフセット・メモリ３３には第１実施例と同様にして収集された画素毎のオフセット・データＤoff ＊が事前に格納されている。このため、オフセット・メモリ３３は画素アドレス信号Ｓａで指定されるアドレスに対応したオフセット・データＤoff ＊を乗算器３２に出力する。一方、係数メモリ３１は撮像時間の長短に対応した係数を予め格納しており、撮影時間情報Ｓtimeに図４の如く対応した係数Ｃtimeを読み出し、乗算器３２に出力する。つまり、入力器２４から撮像モードの切り換えを指令した場合、撮影時間情報Ｓtimeも切り換わり、係数Ｃtimeも撮影時間の長短に対応した値に自動的に変更される。
【００３８】このようにして生成されたオフセット・データＤoff ＊及び係数Ｃtimeを受けた乗算器３２は、「Ｄoff ＝Ｄoff ＊×Ｃtime」の乗算を行い、最終的なオフセット・データＤoff を画素毎に演算する。このオフセット・データＤoff は加算器１９において画素データＤｉに加算され、前述と同様のオフセット補正に付される。
【００３９】したがって、この実施例によれば、Ｘ線透視時に、暗電流に起因したオフセット補正を画素毎に、且つ撮像時間の長短を考慮して行うので、長時間露光モードなどの長時間の撮影時間であっても、また短時間の撮影時間であっても、光蓄積時間の長短に影響されない、補正ばらつきの少ない高精度なオフセット補正を行うことができる。」
　　　
（３Ａ−５）「【００５９】この実施例に係るＸ線診断装置は、図１４の如く、コントローラ２３及び駆動回路１６から出力される撮像時間情報Ｓtime及び画素アドレス信号Ｓａを入力するオフセット・データ生成回路７０と、コントローラ２３からのスイッチ切換信号Ｓ２に応じて切り換わる２つの切換端ａ，ｂを有する電子スイッチ７１とを備えている。電子スイッチ７１は、固体撮像素子１８の出力側におけるＡ／Ｄ変換器１８及び加算器１９とオフセット・データ生成回路７０との間に介挿されている。つまり、電子スイッチの共通端ｃはＡ／Ｄ変換器１８の出力端に、一方の切換端ａは加算器１９の一方の入力端に各々接続されているとともに、もう一方の切換端ｂはオフセット・データ生成回路７０に至る。この電子スイッチ７１は、スイッチ切換信号Ｓ２がオンのとき切換端ｂ側に、オフのとき切換端ａ側に切り換わる。
【００６０】オフセット・データ生成回路７０は、撮影時間情報Ｓtimeを入力して対応する係数Ｃtimeを出力する係数メモリ３１と係数Ｃtimeを一方の入力とする２入力の乗算器３２とを備えるとともに、画素アドレス信号Ｓａを入力するオフセット・メモリ７２とを備えている。このオフセット・メモリ７２にはさらに、コントローラ２３から該メモリ７２への書込みモード及び該メモリ７２からの読出しモードを制御する書込／読出制御信号ＳＷ／Ｒ が供給されるようになっている。この書込／読出に対応して、オフセット・メモリ７２のデータ書込入力端には前記電子スイッチの切換端ｂを介して画像データＤｉが入力する一方で、データ読出し端は前記乗算器３２のもう一方の入力端に至る構成となっている。
【００６１】コントローラ２３は、オフセット・データ生成回路７０に対して、撮像モードに応じた撮像時間情報Ｓtimeを出力するとともに、スイッチ切換信号Ｓ２のオン（切換端ｂ側）、オフ（切換端ａ側）に同期してオン（書込時）、オフ（読出時）となる書込／読出制御信号ＳＷ／Ｒ を出力するようになっている。このコントローラ２３は、撮影モードに応じて、例えば図１６に示す如くＸ線曝射及びオフセット補正を実施するようになっている。
【００６２】その他の構成は第２実施例と同様である。
【００６３】本実施例の動作を図１６に基づいて説明する。ある撮像モード１（例えば短時間露光モード）においてＸ線が曝射されない状態のときは常に、スイッチ切換信号Ｓ２及び書込／読出制御信号ＳＷ／Ｒがオンに設定されている（図１６（ｄ）（ｅ）参照）。これにより、電子スイッチ７１のスイッチ経路は切換端ｂ側になっているので、Ａ／Ｄ変換器１８の出力端がオフセット・メモリ７２に接続され、オフセット・メモリ７２には常に直前の、即ち１フレーム前の画像データＤｉがオフセット・データとして定期的に書き込まれる。これにより、オフセット・メモリ７２のオフセット・データはフレーム毎に更新され、最新のデータとなっている。
【００６４】いま、時刻ｔ０ にて撮像モードがモード２（例えば長時間露光モード）に指令されたが、Ｘ線曝射は未だ指令されていないとする（同図（ｆ）参照）。これにより、フレーム信号ＶＤの間隔が変更され（例えば長くなる：同図（ａ）参照）、この新しい撮像時間に係るフレーム毎に、１フレーム遅れで最新の
オフセット・データがオフセット・メモリ７２に書き込まれる
フレームＦ
ｎ
 での画像データＤｉがオフセット・データとして
書き込まれる
【００６５】この状態で、時刻ｔ１ にて、Ｘ線曝射開始を指示するＸ線曝射信号Ｓ１がオンになると（同図（ａ）参照）、
次フレームＦ
ｎ＋１
 の開始時刻ｔ
１ａ
で実際のＸ線曝射が開始された
【００６６】これにより、
オフセット・メモリ７２からは画素アドレス信号Ｓａに対応した画素の
最新のオフセット・データＤoff 
＊
が読み出され、このデータＤoff 
＊
に、その時点の撮影時間情報Ｓtimeに応じた係数Ｃtimeが掛け算されて、最終のオフセット・データＤoff が演算される
Ａ／Ｄ変換器１８の変換データＤｉは加算器１９に供給されている
その変換データＤｉに最新のオフセット・データＤoff が加算又は減算される
【００６７】この後、時刻ｔ２ でＸ線曝射信号Ｓ２がオフになると、これに同期して実際のＸ線曝射も終了する。しかし、スイッチ切換信号Ｓ２及び書込／読出制御信号ＳＷ／Ｒ のオフの状態は、その曝射終了に係るフレームの画像データが固体撮像素子１３ａから出力される次フレームまで維持され、撮像モードに応じてオフセット補正されたＸ線画像がＣＲＴ２２に表示される。
【００６８】そして、画像処理のフレームが終わる時刻ｔ３  で、スイッチ切換信号Ｓ２及び書込／読出制御信号ＳＷ／Ｒがオンに立ち上げられ、前述したように、
最新の画像データＤｉがオフセット・データとしてオフセット・メモリ７２に逐次、書き込まれる
【００６９】このように、画素値依存域を持たない固体撮像素子の場合、光学像を入射させない撮像直前のタイミングで収集したオフセット・データを利用することができ、撮像時間が変わっても、その撮像時間の長短に対応したほぼリアルタイムのオフセット補正を行うことができる。この結果、精度の高いオフセット補正を実施できる一方で、撮像が実際に行われるときの固体撮像素子の温度下で補正量を収集しているので、前述したような固体撮像素子の温度に応じた補正は不要になり
、素子構成及び補正処理が簡単になるという利点がある。」
　　　　　　　　　
　上記引用刊行物Ａの摘記事項（３Ａ−１）〜（３Ａ−５）の記載のうち、特に（３Ａ−５）の記載を参照すると、上記引用刊行物Ａには、
「Ｘ線を被検体Ｐに向けて曝射するＸ線管１０と、
　Ｘ線を受けるイメージ・インテンシファイヤ１１の出力側に設けられ、ＣＣＤから成る受光素子を各画素に対応して２次元に配列した固体撮像素子１３ａを備えたＴＶカメラ１３と、
　入力器２４を介して指定される長時間露光モード及び短時間露光モードの撮像モードに応じて、予め記憶している撮像時間データを参照し、撮像時間情報Ｓtimeを供給するとともに、Ｘ線管１０のＸ線を曝射可能にするＸ線制御器１５や固体撮像素子１３ａに信号を送るを駆動回路１６を通じて装置全体を管理するコントローラ２３と、
　Ｘ線曝射が開始される前のフレームＦｎ で最新の固体撮像素子１３ａから出力された画像データＤｉがオフセット・データＤoff ＊として書き込まれるオフセット・メモリ７２と、
　次フレームＦｎ＋１ の開始時刻ｔ１ａで実際のＸ線曝射が開始されたときの固体撮像素子１３ａから出力された画像データＤｉと、最新のオフセット・データＤoff ＊と撮影時の撮影時間情報Ｓtimeに応じた係数Ｃtimeとが掛け算されてオフセット・メモリ７２から読み出されるオフセット・データＤoff とを加算又は減算する加算器１９と、
を備えたＸ線診断装置。」
　の発明（以下、「引用発明」という。）が記載されているものと認める。
　　　　　　　　　　　　　
（３Ｂ）原査定の拒絶の理由に引用され、本件出願の優先権主張の日前に頒布された特開平７−７２２５６７号公報（以下、「引用刊行物Ｂ」という。）には、図面とともに次の事項が記載されている。
　　
（３Ｂ−１）「【０００１】
【産業上の利用分野】本発明は画像信号補正装置、とくに詳細には照射された放射線を画像信号に変換する放射線検出器から出力された画像信号を補正する装置および方法に関するものである。」
　　
（３Ｂ−２）「【００２８】図１は本発明による画像信号補正装置の実施例を表す図である。図１に示すように、本発明による画像信号補正装置10は、照射された放射線を可視光に変換する図示しないシンチレータと、このシンチレータにより変換された可視光を検出し、この可視光を被写体の放射線画像を担持する画像信号に光電変換する固体光検出器２とからなる放射線検出器１と接続されているものである。
【００２９】この固体光検出器２は、図１に示すようにシンチレータにより変換された可視光をアナログ画像信号に光電変換する光電変換部18と、この光電変換部18により変換された画像信号を一時的に蓄電する転送部19とからなる固体光検出素子25を２次元状に複数配してなるものである。また、固体光検出器２には、図１の縦方向に並ぶ一ラインの固体光検出素子25から出力される画像信号を増幅するためのアンプ20が設けられており、さらに一ラインの固体光検出素子25から出力される画像信号を一旦蓄電しておくための負荷容量21が設けられている。
【００３０】なお、各固体光検出素子25は図１に示すように信号線22a ，走査線22b により接続されており、信号線22a は図１の垂直方向に延在してマルチプレクサ24および各固体光検出素子25と接続されている。一方、走査線22b は図１の水平方向に延在して走査パルス発生器23および各固体光検出素子25の転送部19と接続されている。
【００３１】ここで、固体光検出素子25の詳細について説明する。図２は固体光検出素子25の詳細を表す図である。図２に示すように
固体光検出素子25は
光電変換部18としてのフォトダイオード35
転送部19としての薄膜トランジスタ37により構成されてなる
　　
（３Ｂ−３）「【００３５】まず、
Ｘ線源４からＸ線５を出射しない状態において放射線検出器１から画像信号Ｓ１を読み出す
負荷容量21に一旦蓄電される。次いで、
アンプ20のスイッチを入れることにより、負荷容量21に蓄電された信号電荷が出力され、アンプ20により増幅されて放射線検出器１から画像信号Ｓ１として出力される
【００３６】放射線検出器１から出力された画像信号Ｓ１は、オフセット調整手段11、ＡＧＣアンプ12を通過して、対数変換手段13，Ａ／Ｄ変換手段14により対数変換され、デジタル信号に変換され、フレームメモリ15に入力される。この操作を、放射線検出器１の固体光検出器２を構成する各固体光検出素子25の縦方向に並ぶすべてのライン毎に行い、各ライン毎の画像信号Ｓ１を得る。
【００３７】ここで放射線検出器１から出力された画像信号Ｓ１においては、放射線検出器１にＸ線５は照射されていないために、画像信号Ｓ１の値は０となるはずである。しかしながら、各固体光検出素子25の感度の違い、アンプ20のオフセット電圧のばらつきによる誤差のために、各ライン毎の画像信号Ｓ１の値が０とはならなくなってしまう。このため、Ｘ線５を照射しない状態において、固体光検出器２を構成する固体光検出素子25の各ライン毎に出力された画像信号Ｓ１の値をオフセット補正値としてフレームメモリ15から補正テーブル16に入力し、これにより各ライン毎のオフセット補正値が補正テーブル16に記憶される。
【００３８】次いで、上述したオフセット補正値をオフセット調整手段11に入力してオフセットを０にした状態でＸ線源４からＸ線５を出射し、放射線検出器１に一様なＸ線５を照射した状態において、放射線検出器１から画像信号Ｓ１を読み出す。すなわち、前述したＸ線５を照射していない状態の場合と同様に、固体光検出器２を構成する各固体光検出素子25の図示縦方向に並ぶ一ラインの固体光検出素子25毎に画像信号Ｓ１が読み出される。読み出された画像信号Ｓ１は、オフセット調整手段11において前述したオフセット補正値によりオフセットが補正されて、ＡＧＣアンプ12を通過し、対数変換手段13，Ａ／Ｄ変換手段14により対数変換され、デジタル信号に変換され、フレームメモリ15に入力される。
【００３９】ここで、Ｘ線５を一様に照射した状態において、放射線検出器１から出力された画像信号Ｓ１においては、各ライン毎に出力された画像信号Ｓ１の値は一定となるはずであるが、上述したような各固体光検出素子25の感度の違い、アンプ20のオフセット電圧のばらつき、さらには負荷容量21の誤差のために各ライン毎に異なるものとなってしまう。そこで、フレームメモリ15に入力された各ライン毎の画像信号Ｓ１のばらつきを求め、このばらつきに基づいて、各ライン毎の画像信号Ｓ１が一定となるようなゲイン補正値が求められる。求められたゲイン補正値は補正テーブル16に入力され、これにより各ライン毎のゲイン補正値が補正テーブル16に記憶される。
【００４０】このようにして、オフセット補正値およびゲイン補正値が求められ、補正テーブル16に記憶された後に、被写体６のＸ線画像の撮影が行われる。すなわち図３に示すように、Ｘ線源４より発せられたＸ線５は被写体６に照射され、被写体６を透過する。被写体６を透過したＸ線５は放射線検出器１に照射される。放射線検出器１に照射されたＸ線５はシンチレータ３に照射され可視光に変換される。変換された可視光は固体光検出器２を構成する各固体光検出素子25のフォトダイオード15により受光され、フォトダイオード15において信号電荷が発生する。このようにして、各固体光検出素子25において可視光の発光輝度、すなわち入射した放射線のエネルギーに比例した信号電荷が発生する。
【００４１】次いで、フレームメモリ15からアドレス信号Ａが、走査パルス発生器23およびアンプ20に送られ、各ライン毎の信号電荷が読み出される。すなわち、走査パルス発生器23から最も左の列の各固体光検出素子25に転送パルスが送られ、最も左の列の各固体光検出素子25のスイッチは「入」状態（固体光検出素子25の転送電極36A に電圧がかかり、信号線32A ，32B 間を電流が流れる状態）となる。すなわち、フォトダイオード35で発生した信号電荷は転送部19としての薄膜トランジスタ37を通じて転送される。これにより、最も左の列の各固体光検出素子25の信号電荷はマルチプレクサ24に同時に送られる。マルチプレクサ24からは各ライン毎のアナログ電気信号（画像信号）が最も左の列から最も右の列まで時系列的に取り出され、一旦負荷容量21に蓄電され、アンプ20により増幅されて放射線検出器１から出力される。
【００４２】このようにして、最も左の列から最も右の列へと順次、各列毎に走査パルス発生器23から転送パルスが送られ、各列毎の各固体光検出素子25からのアナログ画像信号Ｓ１が放射線検出器１から時系列的に出力される。
【００４３】一方、フレームメモリ15からは、補正テーブル16にもアドレス信号が送られており、放射線検出器１から各ライン毎に出力された画像信号Ｓ１は、オフセット調整手段11において補正テーブル16に記憶されている各ライン毎のオフセット補正値により、まずオフセットの補正がなされる。次いで、オフセットの補正がなされた画像信号Ｓ１は、ＡＧＣアンプ12において、補正テーブル16に記憶されている各ライン毎のゲイン補正値により、ゲインの補正がなされる。このようにオフセットおよびゲインの補正がなされた画像信号Ｓ１は対数変換手段13において対数変換され、Ａ／Ｄ変換手段14においてデジタル信号に変換され、フレームメモリ15に入力される。この処理を各ライン毎に行い、これにより被写体６の放射線画像情報を担持する画像信号がフレームメモリ15に記憶される。
【００４４】次いでフレームメモリ15から補正済の画像信号Ｓ２が出力され、図３に示す再生手段８において可視像として再生される。
【００４５】このように、本発明による画像信号補正装置は、固体光検出器２を構成する各固体光検出素子25の各ライン毎にオフセットおよびゲインを調整するようにしたため、各ライン毎の出力の相違に基づくライン状のノイズの発生を防止することができ、Ｓ／Ｎの良好な高画質の画像を得ることができる。」
　　　
（３Ｃ）新たに引用する、本件出願の優先権主張の日前に頒布された特開昭６３−２７２１７９号公報（以下、「引用刊行物Ｃ」という。）には、図面とともに次の事項が記載されている。
　　　　　　　　　　　　　
（３Ｃ−１）「［産業上の利用分野］
　本発明は撮像手段により撮像された画像を電子ビューファインダなどの表示手段に表示する撮像装置に関する。」（２頁左上欄２〜５行）
　　
（３Ｃ−２）「第２図において、１および１′は撮影光学系を構成するレンズである。２は絞り機構である。
　３は絞り機構２における絞りの大きさを可変設定する絞り制御回路である。絞り制御回路３は露出決定回路５から送られてくる絞り情報に応じて絞り機構２の絞りを設定する。
４は入射光線を光電変換する固体撮像素子（ＣＣＤ　）
固体撮像素子４は撮像手段を構成する
　５は被写体画像の明るさに応じて絞りおよびシャッタ速度を決定する制御手段としての露出決定回路である。なお、露出決定回路５は演算処理装置（ＣＰＵ）、ランダムアクセスメモリ（ＲＡＭ）およびリードオンリメモリ（ＲＯＭ）を有し、第３図に示した制御手順を実行することにより絞りおよび／またはシャッタ速度を決定する。
　６は電子ビューファインダ（ＥＶＦ　）であり、表示手段としての液晶表示素子（ＬＣＤ）（当審注：ＣＣＤはＬＣＤの誤記。）および供給手段としての駆動回路を有する。この液晶素子は通常の標準テレビの表示フィールド周波数１／６０秒で画像情報を表示する。
　７はフロッピディスクなどの記録媒体に画像情報を記録する記録手段としての記録回路である。
　
８は撮像素子４を駆動するドライブ回路であり、ドライブ回路８は撮像手段を構成し、露出決定回路５から送られてくるシャッタ速度情報に応じた駆動速度で撮像素子４を駆動する
　９は撮像素子４が光電変換した信号を増幅する信号処理回路である。信号処理回路９は自動利得制御（ＡＧＣ）を行うＡＧＣアンプを有する。」（３頁右上欄１７行〜右下欄９行）
　　　　　
（３Ｄ）新たに引用する、本件出願の優先権主張の日前に頒布された特開昭５５−１２９０３９号公報（以下、「引用刊行物Ｄ」という。）には、図面とともに次の事項が記載されている。
　　　　　　　　　　　　　
（３Ｄ−１）「本発明はＸ線吸收データの精度の向上を図つたコンピユータ・トモグラフイ装置のデータ収集方法に関するものである。」（２頁右下欄１〜３行）
　
（３Ｄ−２）「図は本発明の一実施例を説明するためのタイムチヤートであり、第３図（ａ）はＸ線管より曝射されるＸ線を示し、また第３図（ｂ）はこの曝射されたＸ線に対するＸ線検出器の検出素子の検出出力を示す。
　前述したように検出素子の出力を増幅する前置増幅器はオフセツトを持つており、第３図（ｂ）に示した検出出力にはこのオフセツト分の信号ＳＯが重畳されている。しかも前置増幅器の入力に重畳されたハム雑音Ｎも乗ることから、第３図（ｃ）の如き増幅出力となる。
　ハム雑音は商用交流電源の誘導雑音であるから、商用交流周波数に同期した雑音信号となる。
　一方、オフセット分の信号ＳＯは前置増幅器の無入力時における出力であるから、Ｘ線曝射が成されていない時点での前置増幅器の出力を抽出すればオフセット分の信号ＳＯが得られ、しかもハム雑音Ｎ成分は商用交流周波数に同期しており、一般に商用交流を電源とするＸ線装置ではこの交流を整流して使用する際にリップル分の影響を均一化する目的でＸ線曝射時にＸ線管に対し、電力を供給するとき交流電源の零位相に同期させるから、第３図（ｄ）に示すようにＸ線曝射が終つて、そのＸ線曝射によりＸ線吸収データ収集後、次のＸ線曝射が成されるまでの間に電源の零位相に同期させて、
Ｘ線吸収データ収集時の収集時間相当の時間だけ前記増幅器の出力Ｓ
ｎ
を抽出し、雑音補償用のデータとして収集する
　　　　　　　　　　　
（３Ｄ−３）「このようにＸ線曝射終了毎にＸ線曝射時の商用交流電源位相と同相となるタイミングで
Ｘ線吸収データ収集時間と同時間ずつ前記増幅器出力信号を抽出し、収集して雑音補償用のデータとし
　　　
　（イ）本願補正発明と引用発明との対比・判断
　（イ−１）本願補正発明と引用発明とを対比する。
（i）引用発明の「Ｘ線管１０」は、Ｘ線を被検体Ｐに向けて曝射することから、本願補正発明の「放射線源」に相当する。
（ii）引用発明の「２次元に配列した固体撮像素子１３ａを備えたＴＶカメラ１３」は、ＣＣＤから成る受光素子を各画素に対応して２次元に配列した固体撮像素子１３ａを備えており、このＣＣＤからなる受光素子は光電変換素子であることは明らかであるから、引用発明の「２次元に配列した固体撮像素子１３ａを備えたＴＶカメラ１３」と本願補正発明の「撮像手段」とは「二次元に複数配列された画素を含む撮像手段」である点で共通する。
（iii）上記引用刊行物Ａの摘記事項（３Ａ−４）には、「【００６４】いま、時刻ｔ０ にて撮像モードがモード２（例えば長時間露光モード）に指令されたが、Ｘ線曝射は未だ指令されていないとする（同図（ｆ）参照）。これにより、フレーム信号ＶＤの間隔が変更され（例えば長くなる：同図（ａ）参照）、この新しい撮像時間に係るフレーム毎に、・・・オフセット・データがオフセット・メモリ７２に書き込まれる・・・。」ことが記載されており、さらに、引用発明の「コントローラ２３」は、入力器２４を介して指定される時間露光モード及び短時間露光モードの撮像モードに応じて、予め記憶している撮像時間データを参照し、撮像時間情報Ｓtimeを供給するとともに、Ｘ線制御器１５や駆動回路１６を通じて装置全体を管理することから、引用発明の「コントローラ２３」は、撮影モードに応じて撮影時間、即ち、露光時間を制御していることは明らかである。そうすると引用発明の「コントローラ２３」と本願補正発明の「コントローラ」とは「前記放射線源の露光時間と含む撮影条件を制御するコントローラ」である点で共通する。
（iv）引用発明のコントローラ２３は入力器２４を介して指定される長時間露光モード及び短時間露光モードの撮像モードに応じて、予め記憶している撮像時間データを参照し、撮像時間情報Ｓtimeを供給することから、引用発明のＸ線診断装置は、長時間露光モード及び短時間露光モードの撮像モードに応じて撮像時間、即ち撮影条件が設定された記憶手段を有することは明らかである。そうすると、引用発明の「Ｘ線診断装置」は、本願補正発明の「放射線撮像システム」と同様に「前記撮影時の前記撮影条件に基づく前記コントローラの設定値を記憶する条件記憶手段」を有するものである。
（v）引用発明の「加算器１９」は、次フレームＦｎ＋１ の開始時刻ｔ１ａで実際のＸ線曝射が開始されたときの固体撮像素子１３ａから出力された画像データＤｉと、Ｘ線曝射が開始される前のフレームＦｎ で得られた最新の固体撮像素子１３ａから出力されたオフセット・データＤoff ＊と撮影時の撮影時間情報Ｓtimeに応じた係数Ｃtimeとが掛け算されてオフセット・メモリ７２から読み出されるオフセット・データＤoff とを加算又は減算しているから、コントローラ２３がＸ線管１０を動作させないで固体撮像素子１３ａから出力されたオフセットデータＤoff ＊を利用して得た補正値を用いて、Ｘ線管１０を動作させて固体撮像素子１３ａから出力された画像データＤｉを補正していることになる。
　そうすると、引用発明の「加算器１９」と本願補正発明の「演算処理回路」とは、「前記コントローラが前記放射線源を動作させずに前記撮像手段を動作させて得られた補正出力を利用して、撮影出力を補正する演算処理回路」である点で共通する。
（vi）引用発明の「Ｘ線診断装置」が本願補正発明の「放射線撮像システム」に相当する。
　　　　　　　　　　　　　
　そうすると、本願補正発明と引用発明とは、
「放射線源と、
　光電変換素子を有して二次元に複数配列された画素を含む撮像手段と、
　前記放射線源の露光時間を含む撮影条件を制御するコントローラと、
　前記撮影時の前記撮影条件に基づく前記コントローラの設定値を記憶する条件記憶手段と、
　前記コントローラが前記放射線源を動作させずに前記撮像手段を動作させて得られた補正出力を利用して、撮影出力を補正する演算処理回路と、を有する放射線撮像システム。」である点で一致し、次の相違点（あ）〜相違点（え）において相違する。
　　　　　　　　　　　
・相違点（あ）
　本願補正発明では、二次元に複数配列された画素を含む撮像手段が「光電変換素子とスイッチ素子とを有して」いるのに対して、引用発明では、ＴＶカメラ１３の固体撮像素子１３ａが、光電変換素子であるＣＣＤから成る受光素子を有するものの、スイッチ素子を有するかどうか不明である。
　　　　　　　
・相違点（い）
　本願補正発明では、コントローラが制御する撮影条件が「前記放射線源の露光時間と前記撮像手段の駆動スピードとを含む」含むのに対して、引用発明のコントローラ２３は、長時間露光モード及び短時間露光モードの撮像モードに応じた撮像時間データを予め記憶している点。
　　　　　　　　
・相違点（う）
　本願補正発明では、「撮影時の撮影出力を記憶する撮影出力記憶手段」を有するのに対して、引用発明では、Ｘ線曝射が開始される前のフレームＦｎ で最新の固体撮像素子１３ａから出力された画像データＤｉがオフセット・データＤoff ＊として書き込まれるオフセット・メモリ７を有するものの、Ｘ線曝射が開始されるときの撮像素子１３ａから出力された画像データＤｉを記憶する手段を有しない点。
　　　　　　　　　
・相違点（え）
　撮影出力を補正する演算処理回路が、本願補正発明では「前記撮影出力記憶手段に前記撮影出力が記憶された後に、前記条件記憶手段に記憶された設定値を基に前記コントローラが前記放射線源を動作させずに前記露光時間に相当する時間待ってから前記撮像手段を前記撮影時と同じ駆動スピードで動作させて得られた補正出力を用いて、前記撮影出力記憶手段に記憶された撮影出力を補正する演算処理回路」であるのに対して、引用発明では、次フレームＦｎ＋１ の開始時刻ｔ１ａで実際のＸ線曝射が開始されたときの固体撮像素子１３ａから出力された画像データＤｉと、最新のオフセット・データＤoff ＊と撮影時の撮影時間情報Ｓtimeに応じた係数Ｃtimeとが掛け算されてオフセット・メモリ７２から読み出されるオフセット・データＤoff とを加算又は減算する加算器１９である点。
　　
　（イ−２）当審の判断
　そこで、上記相違点（あ）〜相違点（え）について判断する。
・相違点（あ）について
　Ｘ線を検出する装置における２次元に配列した撮像素子を、光電変換素子とトランジスタからなるスイッチ素子とを用いて構成することは、上記引用刊行物Ｂの摘記事項（３Ｂ−２）及び（３Ｂ−３）にそれぞれ「【００３１】・・・固体光検出素子25は、・・・光電変換部18としてのフォトダイオード35、・・・転送部19としての薄膜トランジスタ37により構成されてなるものである。」こと、及び「【００３５】まず、Ｘ線源４からＸ線５を出射しない状態において放射線検出器１から画像信号Ｓ１を読み出す。・・・次いで、アンプ20のスイッチを入れることにより、負荷容量21に蓄電された信号電荷が出力され、アンプ20により増幅されて放射線検出器１から画像信号Ｓ１として出力される。」ことが記載されているように、本件出願の優先権主張の日前に周知（他に、たとえば、特開平４−２２０２３９号公報の段落【０００１】の記載，図２のホトトランジスタ４２，トランジスタ４４，図５のアナログマルチプレクサ７７、特開平４−２１２４５６号公報の段落【０００１】の記載，図１のホトダイオード１，電界効果トランジスタ３、アナログマルチプレクサ１４、特開平７−７２２５５号公報の【０００１】の記載，図２の薄膜トランジスタ１７で構成された転送部１９，マルチプレクサ２４参照）であり、引用発明の固体撮像素子１３ａも周知例の撮像素子もともにＸ線を検出する装置における２次元に配列した撮像素子である点で共通することから、引用発明において、ＴＶカメラ１３の固体撮像素子１３ａに光電変換素子であるＣＣＤからなる受光素子のほかにスイッチ素子を設けて撮像手段を構成することは当業者が容易になし得るものである。
　　　　　　　　　　　　　
・相違点（い）について
　上記引用刊行物Ｃの摘記事項（３Ｃ−２）に「４は入射光線を光電変換する固体撮像素子（ＣＣＤ　）である。・・・８は撮像素子４を駆動するドライブ回路であり、ドライブ回路８は撮像手段を構成し、露出決定回路５から送られてくるシャッタ速度情報に応じた駆動速度で撮像素子４を駆動する。」と記載されており、このシャッタ速度は撮像手段の露出時間を制御するものであることは明らかである。
　そうすると、ＣＣＤからなる撮像装置において、シャッタ速度に応じてＣＣＤから成る撮像手段の駆動速度を変えることは上記引用刊行物Ｃに記載されているように、本件出願の優先権主張の日前に周知（他に、特開平６−１０５２２１号公報の４頁６欄２７〜３０行の記載参照）であり、さらに、引用発明のＸ線診断装置も、上記周知例のＣＣＤからなる撮像装置もともにＣＣＤからなる撮像手段に入力する光の露光時間を変えていることから、引用発明において、固体撮像素子１３ａに信号を送る駆動回路１６を通じて装置全体を管理するコントローラ２３が、上記周知例と同様に、Ｘ線管１０のＸ線を曝射可能にする撮影時間に応じてＣＣＤからなる固体撮像素子１３ａを駆動する駆動回路の駆動速度を制御すること、すなわち、本願補正発明のごとく、撮像条件を制御するコントローラが制御する撮影条件が「前記放射線源の露光時間と前記撮像手段の駆動スピードとを含む」ように構成することは当業者が容易になし得たものである。
　　　　　　　　　　　
・相違点（う）について
（う−１）引用発明のＸ線診断装置のごとく、Ｘ線曝射が開始される前のフレームＦｎ で固体撮像素子１３ａから出力された画像データＤｉをオフセット・データを求め、その後に次フレームＦｎ＋１ で実際のＸ線曝射が開始されたときの固体撮像素子１３ａから出力された画像データＤｉを、先に求めておいたオフセット・データを用いて補正する際には、先に求めたオフセット・データがオフセット・データが記憶されていないと、先に求めたオフセット・データを読み出して実際のＸ線曝射が開始されたときの固体撮像素子１３ａから出力された画像データＤｉを補正することができないことは明らかである。
（う−２）他方、撮像装置のオフセットを補正する際に、先に撮像素子で被検体を撮影し、その後撮像素子のオフセット分を測定して、先に撮像素子で被写体の撮影データを補正することは、例えば、上記引用刊行物Ｄの摘記事項（３Ｄ−２）に「オフセット分の信号ＳＯは前置増幅器の無入力時における出力であるから、Ｘ線曝射が成されていない時点での前置増幅器の出力を抽出すればオフセット分の信号ＳＯが得られ・・・第３図（ｄ）に示すようにＸ線曝射が終つて、そのＸ線曝射によりＸ線吸収データ収集後、次のＸ線曝射が成されるまでの間に電源の零位相に同期させて、Ｘ線吸収データ収集時の収集時間相当の時間だけ前記増幅器の出力を抽出し、雑音補償用のデータとして収集する」と記載されているように、本件出願の優先権主張の日前に周知（他に、例えば、特開平４−４０７６３号公報の２頁右上欄２〜１３行の記載、特開平８−５１５７１号公報の図８のフローチャートのＳ１０〜Ｓ２１の記載参照）であり、先にオフセットデータを求めるか、被検体を撮像してからオフセットデータを求めるかは、上記周知例の特開平４−４０７６３号公報の２頁右上欄４〜８行に「実際の撮影を行なう時に本露光の前もしくは後にシャッタを閉じた状態でＣＣＤを本露光と同じ時間だけ放置し、これによって得られる暗電流分のノイズ画像を前記暗電流雑音用メモリに記憶し」と記載されているように、当業者が必要に応じて適宜選択して採用する設計的事項にすぎないものであるから、引用発明のＸ線診断装置において、Ｘ線曝射が開始される前のフレームＦｎ で固体撮像素子１３ａから出力された画像データＤｉをオフセット・データを求め、その後に次フレームＦｎ＋１ で実際のＸ線曝射が開始されたときの固体撮像素子１３ａから出力された画像データＤｉを、先に求めておいたオフセット・データを用いて補正する代わりに、周知例のごとく、実際のＸ線曝射が開始されたときの固体撮像素子１３ａから出力された画像データＤｉを求め、その後Ｘ線曝射されないフレームで固体撮像素子１３ａから出力される画像データＤｉをオフセット・データを測定し、実際のＸ線曝射が開始されたときの固体撮像素子１３ａから出力された画像データＤｉを、後から求めた固体撮像素子１３ａのオフセット・データで補正する構成を採用することは当業者が容易になし得るものである。そして、周知例のごとく、先に実際のＸ線曝射が開始されたときの固体撮像素子１３ａから出力された画像データＤｉを求め、その後求めた固体撮像素子１３ａのオフセット・データで、先に実際のＸ線曝射が開始されたときの固体撮像素子１３ａから出力された画像データＤｉを加算器１９で補正する構成を採用すれば、引用発明のオフセット・メモリ７と同様に、先に実際のＸ線曝射が開始されたときの固体撮像素子１３ａから出力される画像データＤｉを記憶して、加算器１９に出力するための記憶手段を設ける必要があることは、上記（う−１）で検討したとおり、明らかであるから、本願補正発明のごとく、「撮影時の撮影出力を記憶する撮影出力記憶手段」を設けることは当業者であれば当然なすべき設計的事項である。
　　　　　　　　　　　　　
・相違点（え）について
（え−１）撮像装置の露出時間に撮像素子から出力されるデータに含まれるオフセットデータ等の雑音成分を求める場合、この雑音成分を、撮像装置の露出時間と同じ時間だけ撮像素子を露出しない状態においた場合の撮像素子からの出力から求めることは、例えば、上記引用刊行物Ｄの摘記事項（３Ｄ−２）及び（３Ｄ−３）に記載されているように、本件出願の優先権主張の日前に周知（他に、特開昭６３−２４６９８５号公報の３頁右上欄１７行〜左上欄４行、３頁左下欄２０行〜４頁左上欄４行，４頁右上欄２〜４行，第３図の各記載、特開平４−４０７６３号公報の２頁右上欄２〜１３行の記載、特開平８−５１５７１号公報の段落【００１６】，段落【０１００】〜【０１０９】，図８のＳ１０〜Ｓ２１，図１０のフォーカルプレーンシャッタ，シャッタカウントの各記載参照）であり、さらに、この撮像装置の露出時間と同じ時間だけ撮像素子を露出しない状態においた場合の撮像素子の出力からオフセットデータ等の雑音成分を求めることは、例えば、上記周知例の特開昭６３−２４６９８５号公報の３頁右上欄１７行〜左上欄４行、３頁左下欄２０行〜４頁左上欄４行，４頁右上欄２〜４行，第３図、あるいは特開平８−５１５７１号公報の図８のＳ６，Ｓ１０〜Ｓ２１に記載されているように、測光センサからの設定値から決定された異なるシャッタ速度、すなわち、異なるように設定された露光時間に対しても可能であることは明らかである。そして、引用発明も上記周知例もともに撮影装置の露出時間に撮影素子から出力されるデータに含まれるオフセットデータ等の雑音成分を、撮像素子を露出しない状態においた場合の撮像素子からの出力を利用して求める点で共通するものであるから、引用発明において、実際のＸ線曝射が開始されたときの固体撮像素子１３ａから出力された画像データＤｉのオフセットデータを、撮影時の撮影時間情報Ｓtimeに応じて補正する際、最新のオフセット・データＤoff ＊と撮影時の撮影時間情報Ｓtimeに応じた係数Ｃtimeとが掛け算されてオフセット・メモリ７２から読み出されるオフセット・データＤoff とを加算器１９で補正する代わりに、実際のＸ線曝射が開始されたときのＸ線曝射時間と同じモードの撮影時間の間に、固体撮像素子１３ａをＸ線曝射しない状態に応じた場合の固体撮像素子１３ａから出力されるデータをオフセット・データとして求め、実際のＸ線曝射が開始されたときの固体撮像素子１３ａから出力された画像データＤｉをオフセットデータを用いて加算器１９で補正することにより、本願補正発明のごとく、撮影出力を補正する演算処理回路が、「前記条件記憶手段に記憶された設定値を基に前記コントローラが前記放射線源を動作させずに前記露光時間に相当する時間待ってから前記撮像手段を」「動作させて得られた補正出力を用いて」、「撮影出力を補正する演算処理回路」とすることは当業者が容易になし得るものある。
（え−２）そして、引用発明において、上記相違点（う）及び相違点（い）で検討したとおり、先に実際のＸ線曝射が開始されたときの固体撮像素子１３ａから出力された画像データＤｉを求め、その後求めた固体撮像素子１３ａのオフセット・データで、先に実際のＸ線曝射が開始されたときの固体撮像素子１３ａから出力された画像データＤｉを加算器１９で補正する構成、及び、固体撮像素子１３ａに信号を送るを駆動回路１６を通じて装置全体を管理するコントローラ２３が、Ｘ線管１０のＸ線を曝射可能にする撮影時間に応じてＣＣＤからなる固体撮像素子１３ａを駆動する駆動回路の駆動速度を制御する構成を採用すれば、先に実際のＸ線曝射が開始されたときの固体撮像素子１３ａから出力された画像データＤｉを記憶する手段が必要であり、さらに、固体撮像素子１３ａをＸ線曝射しない状態に応じた場合の固体撮像素子１３ａから出力されるデータをオフセット・データとして求める際には、Ｘ線曝射した場合の固体撮像素子１３ａの撮影時間に応じた駆動速度と同じ撮影時間及び駆動速度で固体撮像素子１３ａを制御し、オフセット・データとして求めることになることから、引用発明において、上記（え−１）のごとく、実際のＸ線曝射が開始されたときＸ線曝射時間と同じモードの撮影時間の間に、固体撮像素子１３ａをＸ線曝射しない状態に応じた場合の固体撮像素子１３ａから出力されるデータをオフセット・データとして求め、実際のＸ線曝射が開始されたときの固体撮像素子１３ａから出力された画像データＤｉのオフセットデータを加算器１９で補正する場合には、引用発明の加算器１９は、先に実際のＸ線曝射が開始されたときの固体撮像素子１３ａから出力された画像データＤｉが記憶手段に記憶された後に、すなわち、本願補正発明のごとく、「前記撮影出力記憶手段に前記撮影出力が記憶された後に、」実際のＸ線曝射が開始されたときのＸ線曝射時間と同じ時間の間、実際のＸ線曝射が開始されたときの固体撮像素子１３ａを駆動した駆動速度と同じ駆動速度、すなわち、本願補正発明のごとく「前記撮影時と同じ駆動スピードで」、固体撮像素子１３ａをＸ線曝射しない状態で駆動し、固体撮像素子１３ａから出力されるデータをオフセット・データを用いて、実際のＸ線曝射が開始されたときの固体撮像素子１３ａから出力された画像データＤｉを補正することになることは明らかである。
　　　　　　　　　　
　そして、本願補正発明によってもたらされる効果は、引用発明及び周知の技術事項から予測される範囲内のものであって、格別のものではない。
　したがって、本願補正発明は、引用発明及び周知の技術事項に基づいて当業者が容易に発明をすることができたものであるから、特許法第２９条第２項の規定により特許出願の際独立して特許を受けることができないものである。
  　　　　　　　　　　　　
　（４）　補正却下の決定についてのむすび
　以上のとおりであるから、本件補正は、平成１８年改正前の特許法第１７条の２第５項において準用する同法第１２６条第５項の規定に違反するものであり、同法第１５９条第１項において読み替えて準用する同法第５３条第１項の規定により却下しなければならないものである。　
　　　　　　　　　　　　　　
第３　本願発明について
　１．本願発明
　平成２０年６月１６日付けの手続補正は上記のとおり却下されることとなったので、本願の請求項１〜５に係る発明は、平成１９年９月２１日付け手続補正書で補正された特許請求の範囲の請求項１〜５に記載された事項により特定されるとおりのものであって、その請求項１に係る発明（以下、「本願発明」という。）は、上記「第２　２　（１）」の「ア　本件補正前の特許請求の範囲の請求項１」に記載したように、以下のとおりのものである。
　　　　　　　　　
【請求項１】「放射線源と、
　光電変換素子とスイッチ素子とを有して二次元に複数配列された画素を含む撮像手段と、
　前記放射線源と前記撮像手段に関する撮影条件を制御するコントローラと、
　撮影時の撮影出力を記憶する撮影出力記憶手段と、
　前記撮影時の前記撮影条件に基づく前記コントローラの設定値を記憶する条件記憶手段と、
　前記条件記憶手段に記憶された設定値を基に前記コントローラが前記放射線源及び前記撮像手段を制御して得られた補正出力を用いて、前記撮影出力記憶手段に記憶された撮影出力を補正する演算処理回路と、を有する放射線撮像システム。」
　　　　　　
　２．引用刊行物の記載事項
　原査定の拒絶の理由に引用された引用刊行物の記載事項は上記「第２　２　（３）」の（ア）に記載したとおりである。
　　　　　　　　　
　３．本願発明と引用発明との対比・判断
　上記「第２　２　（３）」の（イ）で検討した本願補正発明は、上記本願発明の「前記放射線源と前記撮像手段に関する撮影条件を制御するコントローラ」の撮影条件の構成要件として、「の露光時間」という構成、及び「の駆動スピードとを含む」という構成を付加することにより、撮影条件を減縮して特定し、さらに、「前記条件記憶手段に記憶された設定値を基に前記コントローラが前記放射線源及び前記撮像手段を制御して得られた補正出力」の構成要件に「前記撮影出力記憶手段に前記撮影出力が記憶された後に、」という構成、「動作させずに前記露光時間に相当する時間待ってから」という構成、及び、「を前記撮影時と同じ駆動スピードで動作させて」という構成を付加することにより、補正出力を減縮して特定するものであり、言い換えれば本願発明の構成要件にさらなる構成要件を付加したものである。
　そうすると、本願発明の構成要件を全て含み、さらに他の構成要件を付加したものに相当する本願補正発明が、上記「第２　２　（３）」の（イ）において検討したとおり、引用発明及び周知の技術事項に基づいて当業者が容易に発明をすることができたものであることから、本願発明も同様の理由により、引用発明及び周知の技術事項に基づいて当業者が容易に発明をすることができたものである。
　
　４．むすび
　以上のとおり、本願発明は特許法第２９条第２項の規定により特許を受けることができないものであるので、本件出願は、その余の請求項に係る発明について検討するまでもなく、拒絶をすべきものである。
　よって、結論のとおり審決する。